(57)【要約】      （修正有）【課題】柔軟な蓋部が補強シートによって確実に補強された商品収納袋を提供する。【解決手段】商品収納袋１は、商品を収納可能な上部開口型の柔軟な袋本体２と、袋本体２の開口部２１を開閉する蓋部３と、収納される商品Ａと蓋部３との間に介在される補強シート５と、を有し、袋本体２が、柔軟な前面シート６と柔軟な後面シート７とが重ね合わされ、且つ前面シート６及び後面シート７の下方両隅部が切り欠かれていると共に、前面シート６及び後面シート７の両側辺部２ａ，２ｂが接着されており、蓋部３が、後面シート７の上部を延設した延出シートで構成され、補強シート５が、延出シートよりも剛性の高いシート材で構成され、補強シート５が、収納される商品の上部及び前後部に被さるように曲げられている。【選択図】図１
0003141695.tif 000002
【実用新案登録請求の範囲】
【請求項１】
商品を収納可能な上部開口型の柔軟な袋本体と、前記袋本体の開口部を開閉する蓋部と、前記収納される商品と蓋部との間に介在される補強シートと、を有する商品収納袋において、
前記袋本体が、柔軟な前面シートと柔軟な後面シートとが重ね合わされ、且つ前記前面シート及び後面シートの下方両隅部が切り欠かれていると共に、前記前面シート及び後面シートの両側辺部が接着されて構成されており、
前記蓋部が、前記後面シートの上部を延設した延出シートで構成され、
前記補強シートが、前記延出シートよりも剛性の高いシート材で構成され、前記補強シートが、収納される商品の上部及び前後部に被さるように曲げられていることを特徴とする商品収納袋。
【請求項２】
前記前面シートと後面シートが、折り返して重ね合わせた１枚の柔軟なシート材から形成されている請求項１に記載の商品収納袋。
【請求項３】
前記補強シートの面内には、前記蓋部に形成された指入れ用の切込み部に対応する位置に、切込み部が形成されている請求項１または２に記載の商品収納袋。
【考案の詳細な説明】
【技術分野】
【０００１】
本考案は、商品を入れて展示販売する商品収納袋に関する。
【背景技術】
【０００２】
シャンプー、リンス、化粧品、飲料などを入れた成形容器などの各種の商品が、収納ケースに収納されて販売されている。特に、本来個別に販売され得る複数の商品を、纏めてセット販売するために、複数の商品が収納ケースに収納されて販売されている。
一般に、かかる収納ケースは、所定形状の合成樹脂製シート材や紙などに折り罫線を形成し、該折り罫線に於いてシート材を折り曲げて、直方体状（６面箱状）に形成されている。
【０００３】
また、複数の商品をセット販売するために、該複数の商品を収納する商品収納袋も知られている。かかる商品収納袋は、上記収納ケースを構成するシート材よりも柔軟なシート材からなる。
このような商品収納袋としては、特許文献１に開示された展示袋兼用持運び袋が知られている。
該展示袋兼用持運び袋は、複数個の商品をセットにした状態で収納でき、前後片とマチ部を設けた左右側片とをシールして底部を設けた柔軟な合成樹脂製フィルムの袋体と、前片の上端を上方に延長して袋体の開口部を施蓋する蓋部と、を有し、該蓋部の内側に、蓋部と後片とを接着する帯状のシール部が設けられ、さらに、商品の上部から前面にかけて被着する断面略Ｌ字形状の補強シートが設けられている。
【特許文献１】実用新案登録第３１３５７２１号公報
【考案の開示】
【考案が解決しようとする課題】
【０００４】
上記公報記載の展示袋兼用持運び袋は、前片、後片、左側片及び右側片の４面からなる合成樹脂製フィルムを用い、それら各片の端部をそれぞれ熱シールすることにより形成されている。
このため、上記展示袋兼用持運び袋は、フィルムの枚数及び熱シール部分が多いため、その製造工程が複雑となる上、製袋後、前記熱シール部分に起因する肉厚部が、袋面の多くの箇所に生じるという問題点がある。
また、上記公報記載の展示袋兼用持運び袋は、補強シートが断面略Ｌ字状であるため、これを商品の上部から前面にかけて被しても、輸送中に振動が加わることにより、補強シートが位置ずれし、補強シートが商品の上部から外れてしまうという問題点もある。
【０００５】
本考案は、比較的簡易に製造でき、補強シートが商品と蓋部の間から外れ難い商品収納袋を提供することを課題とする。
【課題を解決するための手段】
【０００６】
本考案の商品収納袋は、商品を収納可能な上部開口型の柔軟な袋本体と、前記袋本体の開口部を開閉する蓋部と、前記収納される商品と蓋部との間に介在される補強シートと、を有する商品収納袋において、前記袋本体が、柔軟な前面シートと柔軟な後面シートとが重ね合わされ、且つ前記前面シート及び後面シートの下方両隅部が切り欠かれていると共に、前記前面シート及び後面シートの両側辺部が接着されて構成されており、前記蓋部が、前記後面シートの上部を延設した延出シートで構成され、前記補強シートが、前記延出シートよりも剛性の高いシート材で構成され、前記補強シートが、収納される商品の上部及び前後部に被さるように曲げられていることを特徴とする。
【０００７】
上記本考案の商品収納袋は、両側辺部が接着された前面シートと後面シートとから形成されているので、従来の商品収納袋に比して、シートの枚数及び接着部分が少なく、比較的簡易に製造できる。
上記商品収納袋は、袋本体内に商品を入れ、補強シートを曲げて商品の上部及び前後部に被せ、蓋部を曲げながら袋本体の開口部を閉じることにより使用される。
上記袋本体内に商品を入れると、前面シート及び後面シートの下方領域が折れ曲がることによって商品収納袋の底面部が形成され、前面シート及び後面シートの両側方領域が折れ曲がることによって商品収納袋の両側面部が形成される。
上記袋本体は、前面シート及び後面シートの下方両隅部が切り欠かれているので、袋本体内に商品を入れたときに形成される前記商品収納袋の底面部や両側面に、皺や突起部が生じることを防止できる。
また、本考案の補強シートは、収納される商品の上部及び前後部に被さるように曲げられているので、商品を入れた商品収納袋を輸送している間に、補強シートが位置ずれを生じ難く、このため、補強シートが商品の上部から不用意に外れ難い。従って、前記商品を入れた商品収納袋を店頭などで陳列するときにも、補強シートが商品と蓋部の間に確実に介在し、柔軟な蓋部に皺が生じることによる外観不良の発生を防止できる。
【０００８】
本考案の好ましい商品収納袋は、前記前面シートと後面シートが、折り返して重ね合わせた１枚の柔軟なシート材から形成されている。
かかる好ましい商品収納袋は、袋本体を構成する前面シートと後面シートが、１枚の柔軟なシート材から形成されているので、前面シートと後面シートの接着部分がより少なくなる。
【０００９】
本考案の他の好ましい商品収納袋は、前記補強シートの面内には、前記蓋部に形成された指入れ用の切込み部に対応する位置に、切込み部が形成されている。
かかる他の好ましい商品収納袋は、蓋部に切込み部が形成されているので、該蓋部の切込み部に指を入れて蓋部を持ち、商品収納袋を運搬することができる。また、蓋部は、柔軟であるため、蓋部を持ったときに大きく変形する虞があるが、上記商品収納袋は、補強シートにも切込み部が形成されているので、補強シートと共に蓋部を持つことができ、運搬時に蓋部が大きく変形することを防止できる。
【考案の効果】
【００１０】
本考案に係る商品収納袋は、上記の通り、従来のこの種の商品収納袋に比して、比較的簡易に製造できる。さらに、該商品収納袋は、輸送時に補強シートが商品と蓋部の間から外れ難いため、剛性の高い補強シートによって柔軟な蓋部を確実に補強できる。従って、蓋部に皺が生じ難く、良好な外観を有する商品収納袋を提供できる。
また、本考案の好ましい商品収納袋は、上記の通り、補強シートと共に蓋部を持つことができる。従って、運搬時に蓋部が変形し難く、持ちやすい商品収納袋を提供できる。
【考案を実施するための最良の形態】
【００１１】
以下、本考案について、図面を参照しつつ具体的に説明する。
図１及び図２に於いて、１は、商品Ａを収納可能な上部開口型の柔軟な袋本体２と、前記袋本体２の開口部２１を開閉する蓋部３と、前記蓋部３に添付される補強シート５と、を有する商品収納袋を示す。
袋本体２は、重ね合わせた２面の柔軟なシート材（重ね合わせた一方のシート材を「前面シート」、他方を「後面シート」という）から形成されており、蓋部３は、袋本体２を構成するシート材を延出した延出シートから形成されている。
補強シート５は、前記柔軟なシート材よりも剛性の高いシート材が用いられている。
【００１２】
本考案の商品収納袋１は、袋本体２の開口部２１から１個又は複数個の商品Ａを袋本体２内に入れ、前記商品Ａの上部及び前後部に被さるように補強シート５を商品Ａと蓋部３の間に介在させた状態で、袋本体２の開口部２１が蓋部３で閉塞される。
袋本体２内に商品Ａを入れると、前面シート６及び後面シート７の下方領域が折れ曲がることによって商品収納袋１の底面部１ａが形成され、前面シート６及び後面シート７の両側方領域が折れ曲がることによって商品収納袋１の両側面部１ｂ，１ｂが形成される。
以下、各構成要素ごとに分説しつつ、本考案の商品収納袋１の具体的構成を明らかにする。
【００１３】
袋本体２は、図３及び図４にも示すように、重ね合わされた柔軟な前面シート６と柔軟な後面シート７とからなる。該前面シート６及び後面シート７は、平面視略矩形状に形成されている。この前面シート６及び後面シート７の両側辺部２ａ，２ｂを接着することにより、上部開口型の平面視略矩形状の袋本体２が構成されている。なお、図３において、接着部分を薄墨塗りで示す。
前面シート６及び後面シート７（袋本体２)の両側辺部２ａ，２ｂは、上下方向に延びる平行な直線状に形成されている。
また、重ね合わされた前面シート６及び後面シート７の下方両隅部は、切り欠かれている。
蓋部３は、この後面シート７の上部を上方に延設した延出シートで構成されている。
【００１４】
好ましくは、上記前面シート６、後面シート７及び延出シート（蓋部３）は、平面視略矩形状の１枚の柔軟なシート材から形成されている。すなわち、略矩形状の１枚のシート材を、該シート材の下辺が上辺よりも下方に位置するように、ずらして折り返して重ね、その重ね合わせたシート材の一方面と他方面の両側辺部を接着することにより、袋本体２及び蓋部３が一体的に形成されている。前記重ね合わされたシート材の一方面が前面シート６に相当し、前記重ね合わされたシート材の他方面が後面シート７に相当し、前記シート材の非重ね合わせ面が延出シートに相当し、前記シート材の折り返し辺が、前面シート６の下辺部と後面シート７の下辺部２ｃに相当する。従って、この前面シート６と後面シート７の下辺部２ｃは連設されている。
このように袋本体２の前面シート６と後面シート７が、１枚のシート材から形成されていると、シートの枚数を最小限にできる上、前面シート６と後面シート７の下辺部２ｃを接着する必要がないので、接着部分を少なくできる。
【００１５】
前面シート６及び後面シート７の両側辺部２ａ，２ｂの接着は、接着剤又は溶剤を用いて接着してもよいし、熱シールで接着してもよい。好ましくは、前面シート６及び後面シート７の両側辺部２ａ，２ｂは、熱シールで接着される。熱シールする場合、前面シート６及び後面シート７は、内面にシーラント層を有するシート材が用いられる。特に好ましくは、前面シート６及び後面シート７の両側辺部２ａ，２ｂは、熱溶断によって熱シールされる。熱溶断によって前記両側辺部２ａ，２ｂが接着された袋本体２は、図９及び図１０に示すように、両側辺部２ａ，２ｂの熱シール幅が非常に短くなるので好ましい。
【００１６】
上記前面シート６及び後面シート７の下方両隅部（側辺部２ａ，２ｂの下方で且つ下辺部２ｃの両側）は、切り欠かれて切除されている。該切り欠き部４は、例えば、平面視略矩形状でもよいし、平面視略三角形状でもよい。
平面視略矩形状の切り欠き部４は、図３に示すように、前面シート６及び後面シート７の側辺部２ａ，２ｂの下方の所定位置から、下辺部２ｃと略平行に、前面シート６及び後面シート７を切り取る第１切断線４１と、前面シート６及び後面シート７の下辺部２ｃの両側の所定位置から、側辺部２ａと略平行に、前面シート６及び後面シート７を切り取る第２切断線４２と、によって形成できる。
平面視略三角形状の切り欠き部４は、前面シート６及び後面シート７の側辺部２ａ，２ｂの下方の所定位置から、前面シート６と後面シート７の下辺部２ｃの両側の所定位置まで、傾斜状に前面シート６及び後面シート７を切り取ることによって形成できる（図示せず）。
好ましくは、切り欠き部４は、図３に示すように、平面視略矩形状に形成される。
【００１７】
本考案の商品収納袋１は、袋本体２内に商品Ａを入れたときに、図１及び図２に示すように、前面シート６及び後面シート７の下方領域が折れ曲がることによって商品収納袋１の底面部１ａが形成され、前面シート６及び後面シート７の両側方領域が折れ曲がることによって商品収納袋１の両側面部１ｂ，１ｂが形成される。
そして、上記のように前面シート６及び後面シート７の下方両隅部を切り欠いていると、前面シート６及び後面シート７の下方領域と側方領域が分断される。このため、袋本体２内に商品Ａを入れたとき、前記形成される商品収納袋１の底面部１ａや両側面部１ｂ，１ｂにおいて、皺や突起部が生じることを防止できる。
【００１８】
上記切り欠き部４の大きさは、特に限定されず、上記のように袋本体２内に商品Ａを入れたときに形成される商品収納袋１の底面部１ａや側面部１ｂの大きさを考慮して適宜設定できる。例えば、第１切断線４１の位置を比較的上側に設定し、且つ第２切断線４２の位置を比較的内側に設定すると、平面視略矩形状の切り欠き部４の面積が大きくなり、これに伴って、商品Ａを入れたときに形成される商品収納袋１の底面部１ａや側面部１ｂのマチ幅が大きくなる。
【００１９】
次に、蓋部３を構成する延出シートは、略矩形状に形成され、該蓋部３の一方端辺部は後面シート７に一体的に連設され且つ蓋部３の他方端辺部は自由端部とされている。なお、蓋部３の他方端辺部は、一方端辺部に比して幅狭に形成されていてもよい。
蓋部３は、袋本体２内に商品Ａを入れたとき袋本体２の開口部２１を覆うことができ、さらに、開口部２１を覆ったときに、蓋部３の他方端辺部が袋本体２の前面シート６の上方領域に重なるような大きさに形成されている。
好ましくは、図３に示すように、蓋部３の幅Ｗ１は、後面シート７の幅よりも短く、且つ左右一対の第２切断線４２，４２の間隔Ｗ２よりも長く形成される。蓋部３を前記幅Ｗ１に形成することにより、袋本体２内に商品Ａを入れたときに、該蓋部３によって袋本体２の開口部２１を余すことなく閉塞できる。
【００２０】
上記蓋部３の他方端辺部には、袋本体２の前面シート６に係合する係合手段が設けられている。この係合手段としては、例えば、蓋部３の他方端辺部の内面に、前面シート６の外面に着脱可能な粘着シート３１を設けることが挙げられる。また、係合手段としては、例えば、前面シート６に切り目を形成し、蓋部３の他方端辺部に前記切り目に係入し得る差し込み部を形成することなどが挙げられる（図示せず）。
【００２１】
さらに、蓋部３の面内には、指入れ用の切込み部３２が形成されている。この切込み部３２は、これに指を入れて商品収納袋１を持つための取っ手となる部分である。切込み部３２は、図１及び図３に示すような、有端非直線状の切り込み（例えば、略Ｃ字形状の切り込み）でもよい。かかる有端非直線状の切込み部３２が形成されている場合、これに指を入れると、図２に示すように、前記切込み部３２で囲われた領域３２ａが内側へ曲がり、蓋部３に指を入れる開口が生じる。
なお、上記切込み部３２は、特に図示しないが、無端状の切り込み（例えば、円形状の切り込み）でもよい。切込み部３２が無端状の切り込みの場合には、切込み部３２で囲われた領域が除去されるので、蓋部３の面内に指を入れる開口が予め形成される。
上記切込み部３２は、蓋部３の他方端辺部の近傍に設けられている。もっとも、前記切込み部３２は、蓋部３の一方端辺部に設けられていてもよいし、或いは、蓋部３の一方端辺部及び他方端辺部の双方に設けられていてもよい。
【００２２】
上記袋本体２及び蓋部３を構成する柔軟なシート材（以下、このシート材を「袋シート材」という）は、特に限定されないが、収納した商品Ａを外部から透視できることから、透光性に優れたシート材が好ましい。また、前記袋シート材は、無色であることが好ましいが、透光性を損なわない範囲で着色されていてもよい（例えば、乳白色など）。
袋シート材の透光性の程度は、全光線透過率が７０％以上であることが好ましく、より好ましくは８０％以上であり、さらに好ましくは９０％以上である。
ただし、本明細書において、全光線透過率とは、ＪＩＳ Ｋ７１０５（プラスチックの光学的特性試験方法）に準拠した測定法によって測定される値をいう。
【００２３】
袋シート材としては、特に限定されず、例えば、ポリプロピレン、ポリエチレンなどのポリオレフィン系、ポリエチレンテレフタレートなどのポリエステル系、ポリスチレン系、ポリアミド系などの各種合成樹脂製シート材が挙げられる。また、袋シート材は、同種又は異種の積層シートでもよい。
【００２４】
袋シート材は、熱シールで接着できることからシーラント層を有する積層シートが好ましい。
例えば、袋シート材としては、外面に耐熱層を有し、内面にシーラント層を有する積層シートが挙げられ、前記耐熱層とシーラント層の間に、任意の層が積層されていてもよい。
耐熱層としては、熱シール温度に耐えうる耐熱性を有していれば特に限定されず、例えば、二軸延伸ポリアミド、二軸延伸ポリエステル、二軸延伸ポリプロピレンなどの合成樹脂層などが挙げられる。耐熱層の厚みは特に限定されないが、通常、１０μｍ〜４０μｍ程度である。
シーラント層としては、例えば、直鎖状低密度ポリエチレンなどのポリエチレン層などが挙げられる。シーラント層の厚みは特に限定されないが、通常、１５μｍ〜５０μｍ程度である。
上記袋シート材の厚みは、柔軟性やコストなどを考慮すると、４０μｍ〜１５０μｍであり、好ましくは、８０μｍ〜１２０μｍである。
【００２５】
次に、補強シート５は、袋本体２を構成する柔軟なシート材とは別個独立したシート材から形成されている。
補強シート５は、図５に示すように、例えば、平面視略矩形状に形成されている。好ましくは、補強シート材５の幅は、蓋部３の幅Ｗ１と略同じ又はそれよりも若干短く形成されている。
補強シート５の面内には、幅方向に延びる折り目５１が形成されている。この折り目５１は、複数本所定間隔を開けて並設されていることが好ましい。なお、図示した例では、前記折り目５が、補強シート５の面内の中央部に２本並設されている。
また、補強シート５の面内には、指入れ用の切込み部５２が形成されている。この切込み部５２は、蓋部３の切込み部３２と同様に、これに指を入れて商品収納袋１を持つための取っ手となる部分である。補強シート５の切込み部５２は、上記蓋部３の切込み部３２と同様に、有端非直線状の切り込みや無端状の切り込みなどが挙げられる。
補強シート５の切込み部５２が、有端非直線状の切り込みである場合、上記蓋部３の切込み部３２と同様に、図２に示すように、前記切込み部５２で囲われた領域５２ａが内側へ曲がり、補強シート５の面内に指を入れる開口が生じる。
【００２６】
補強シート５は、前記折り目５１にて曲げることによって、図１及び図２に示すように、側面視山形状となり、商品Ａの上部及び前後部に被せることができる。
上記補強シート５の切込み部５２は、山形状に曲げた補強シート５を商品Ａと蓋部３の間に介在させたときに、蓋部３の切込み部３２に対応する位置に形成されている。
【００２７】
上記補強シート５を構成するシート材（以下、このシート材を「補強シート材」という）は、袋シート材よりも剛性が高いシート材であれば特に限定されないが、収納した商品を外部から透視できることから、透光性に優れたシート材が好ましい。また、前記補強シート材は、無色であることが好ましいが、透光性を損なわない範囲で着色されていてもよい（例えば、乳白色など）。
補強シート材の透光性の程度は、全光線透過率が７０％以上であることが好ましく、より好ましくは８０％以上であり、さらに好ましくは９０％以上である。
【００２８】
補強シート材としては、特に限定されず、例えば、ポリプロピレン、ポリエチレンなどのポリオレフィン系、ポリエチレンテレフタレートなどのポリエステル系、ポリスチレン系、ポリアミド系などの各種合成樹脂製シート材が挙げられる。また、補強シート材は、同種又は異種の積層シートでもよい。
上記補強シート片の厚みは、袋シート材よりも剛性の高いシート材とするために、０．２ｍｍ〜１．０ｍｍであり、好ましくは０．２ｍｍ〜０．８ｍｍである。
【００２９】
次に、上記商品収納袋１は、例えば、下記の機械的製造工程によって製造できる。
所定幅の１枚の柔軟な袋シート材の長尺物（以下、長尺シートという）を準備する。通常、長尺シートは、ロール状に巻かれた状態で製袋装置に供給される。
（工程Ａ）図６に示すように、長尺シート９を繰り出し、その長尺シート９の一側辺９ａが他側辺９ｂよりも下方に位置するように、長尺シート９を折り返して重ね合わせる。
（工程Ｂ）次に、図７に示すように、折り返した長尺シート９の重ね合わせた部分を、所定長さ、幅方向帯状に熱シールする。なお、図７において、帯状の熱シール部９１を薄墨塗りで示す。
（工程Ｃ）長尺シート９を、熱シール部９１の略中央部で幅方向に切断する。図７において、切断線を一点鎖線で示す。
（工程Ｄ）袋本体２の切り欠き部４を形成すべく、前記熱シール部９１を中央に含む略矩形状領域９２であって、長尺シート９の折り返し辺９ｃから中途部までの間における長尺シート９の重ね合わせ部分の略矩形状領域９２を、切除する。なお、図７において、この切除する略矩形状領域９２を網掛けで示し、その切除片９２ａを二点鎖線で示す。
（工程Ｅ）蓋部３を形成すべく、前記熱シール部９１の上方側の帯状領域９３であって、長尺シート９の他側辺９ｂから長尺シート９の一側辺９ａまでの間における長尺シート９の非重ね合わせ部分の帯状領域９３を、切除する。なお、図７において、この切除する帯状領域９３を網掛けで示し、その切除片９３ａを二点鎖線で示す。
上記工程Ｃ〜Ｅによって、長尺シート９から１つの袋本体２が形成できると同時に、該袋本体２が長尺シート９から切り離される。
【００３０】
上記製造方法において、工程Ｂ〜Ｅを実施する順序は、特に限定されず、適宜順序を変えたり、或いは、各工程を同時に実施できる。
例えば、工程Ｂ及びＣは、同時に実施することもできる。例えば、長尺シート９を熱溶断することにより、長尺シート９の熱シール部９１の形成と熱シール部９１での切断を同時に実施できる。
また、上記工程Ｃ〜Ｅは、同時に実施することもできる。例えば、ダイカットロールなどの切断機を用いることにより、熱シール部９１の切断、略矩形状領域９２及び帯状領域９３の切除を同時に実施できる。
さらに、工程Ｄ及びＥを実施した後、工程Ｂ及びＣを実施することもできる。
【００３１】
上記商品収納袋１は、次のようにして商品Ａを入れることにより、商品包装体とすることができる。
図１に示すように、袋本体２の開口部２１から商品Ａを入れ、その商品Ａの上に、山形状に折り曲げた補強シート５を被し、該補強シート５を覆うように、蓋部３を湾曲させて被せ、図２に示すように、蓋部３の他方端辺部を袋本体２の前面シート６に係合させることにより、袋本体２の開口部２１を閉塞する。
収納する商品Ａは、特に限定されず、シャンプー、リンス、化粧品、飲料などの容器が挙げられる。また、商品収納袋１には、１個の商品Ａを収納してもよいし、図示したように、複数個の商品Ａを収納してもよい。
【００３２】
上記商品収納袋１は、袋本体２が前面シート６と後面シート７とから形成されているので、従来の商品収納袋に比して、シートの枚数及び接着部分が少なく、比較的簡易に製造できる。特に、前面シート６と後面シート７が、１枚のシート材で形成されている場合には、シートの枚数及び接着部分がより少なくなる。
上記商品収納袋１は、商品Ａを入れたときに皺などが生じにくく、外観上綺麗な商品包装体を提供できる。
また、補強シート５が収納した商品Ａの上部及び前後部に被せられているので、輸送中に補強シート５が位置ずれし難くなる。従って、上記商品収納袋１は、輸送時及び店頭陳列時に、補強シート５が商品Ａと蓋部３の間の所定位置に確実に介在し、蓋部３に皺が生じ難い商品包装体を提供できる。
さらに、上記商品収納袋１は、補強シート５と共に蓋部３を持つことができるので、柔軟な蓋部３が大きく変形し難く、運搬し易いものである。
【００３３】
次に、本考案の商品収納袋１の他の実施形態を示す。
ただし、他の実施形態の説明に於いて、主として上記実施形態と異なる構成及び効果について説明し、上記実施形態と同様の構成などについては、その説明を省略し、用語及び符号を援用することがある。
上記実施形態において、袋本体２は、前面シート６と後面シート７が１枚の柔軟なシート材から形成されているが、前面シート６と後面シート７がそれぞれ独立した柔軟なシート材で形成されていてもよい。このように独立したシート材で形成した場合、前面シート６の下辺部２ｃと後面シート７の下辺部２ｃが熱シールなどで接着される。
【００３４】
また、上記実施形態において、前面シート６及び後面シート７（袋本体２)の両側辺部２ａ，２ｂは、上下方向に延びる平行な直線状に形成されているが、例えば、図８（ａ）に示すように、前面シート６及び後面シート７（袋本体２)の両側辺部２ａ，２ｂは、下辺部２ｃに向かうに従って両側辺部２ａ，２ｂの間隔が小さくなる、傾斜状に形成されていてもよい。このような袋本体２は、下方に向かう従って縮径する形状の商品を収納するのに適する。また、図８（ｂ）に示すように、前面シート６及び後面シート７の両側辺部２ａ，２ｂが、上下方向中央部に向かうに従って両側辺部２ａ，２ｂの間隔が小さくなる、凹み円弧状に形成されていてもよい。このような袋本体２は、中央部に向かうに従って縮径する形状の商品を収納するのに適する。また、図８（ｃ）に示すように、前面シート６及び後面シート７の両側辺部２ａ，２ｂが、上下方向中央部に向かうに従って両側辺部２ａ，２ｂの間隔が大きくなる、突出円弧状に形成されていてもよい。このような袋本体２は、中央部に向かうに従って拡径する形状の商品を収納するのに適する。このように、袋本体２の両側辺部２ａ，２ｂが、商品の外形状に適合するように形成されていると、袋本体２と商品との密着部分が増え、袋本体２内で商品が動き難くなり、且つ外観上綺麗な商品包装体を提供できるので好ましい。
【図面の簡単な説明】
【００３５】
【図１】本考案の一実施形態に係る商品収納袋に商品を入れ、蓋部を開けた状態の斜視図。
【図２】同商品収納袋に商品を入れ、蓋部を閉じた状態の側面図。
【図３】一実施形態に係る袋本体の平面図。
【図４】図３のＩ−Ｉ線断面図。
【図５】一実施形態に係る補強シートの平面図。
【図６】本考案の商品収納袋を製造方法の一工程を示す一部省略平面図。
【図７】同製造方法の一工程を示す一部省略平面図。
【図８】本考案の他の実施形態に係る袋本体の平面図。
【図９】本考案の他の実施形態に係る袋本体の平面図。
【図１０】図９のＩＩ−ＩＩ線断面図。
【符号の説明】
【００３６】
１…商品収納袋、２…袋本体、２１…開口部、２ａ，２ｂ…側辺部、３…蓋部、４…切り欠き部、５…補強シート、６…前面シート、７…後面シート、Ａ…商品
【図１】
0003141695.tif 000003
【図２】
0003141695.tif 000004
【図３】
0003141695.tif 000005
【図４】
0003141695.tif 000006
【図５】
0003141695.tif 000007
【図６】
0003141695.tif 000008
【図７】
0003141695.tif 000009
【図８】
0003141695.tif 000010
【図９】
0003141695.tif 000011
【図１０】
0003141695.tif 000012